(57)【要約】【課題】基地局等の無線通信装置において往復チャネル行列を推定するための効率的なシグナリングを実現する。【解決手段】ＴＤＤ（Time Division Duplex）システムにおける無線通信装置は、通信先無線通信装置に中継させる信号と、通信先無線通信装置が信号を中継する際のリソースとを示す情報を通知する通知部と、通信先無線通信装置に中継させる信号を送信する送信部と、通信先無線通信装置が中継した信号を受信する受信部と、通信先無線通信装置が中継した信号に基づいてチャネル推定を行うチャネル推定部とを有する。【選択図】図２
2015070336.tif 000002
【特許請求の範囲】
【請求項１】
ＴＤＤ（Time Division Duplex）システムにおける無線通信装置であって、
通信先無線通信装置に中継させる信号と、通信先無線通信装置が信号を中継する際のリソースとを示す情報を通知する通知部と、
通信先無線通信装置に中継させる信号を送信する送信部と、
通信先無線通信装置が中継した信号を受信する受信部と、
通信先無線通信装置が中継した信号に基づいてチャネル推定を行うチャネル推定部と、
を有する無線通信装置。
【請求項２】
前記通知部は、下りリンクの参照信号を、通信先無線通信装置に中継させる信号として通知する、請求項１に記載の無線通信装置。
【請求項３】
前記通知部は、周期的に送信されるサウンディング参照信号又は非周期的に送信されるサウンディング参照信号の送信タイミングに基づいて、通信先無線通信装置が信号を中継する際の送信タイミングを通知する、請求項１又は２に記載の無線通信装置。
【請求項４】
前記通知部は、システム帯域の中で通信先無線通信装置が信号を中継する際の周波数位置を通知する、請求項１乃至３のうちいずれか１項に記載の無線通信装置。
【請求項５】
前記通知部は、通信先無線通信装置に中継させる信号が多重されるサブフレーム内の位置を通知する、請求項１乃至４のうちいずれか１項に記載の無線通信装置。
【請求項６】
前記通知部は、サウンディング参照信号の送信電力に基づいて、通信先無線通信装置が信号を中継する際の送信電力を通知する、請求項１乃至５のうちいずれか１項に記載の無線通信装置。
【請求項７】
ＴＤＤ（Time Division Duplex）システムにおける無線通信装置であって、
無線通信装置が中継すべき信号と、無線通信装置が信号を中継する際のリソースとを示す情報を通信先無線通信装置から受信し、また、無線通信装置が中継すべき信号を受信する受信部と、
無線通信装置が中継すべき信号を送信部に中継する中継部と、
無線通信装置が信号を中継する際のリソースを示す情報に基づいて、中継された信号を送信する送信部と、
を有する無線通信装置。
【請求項８】
ＴＤＤ（Time Division Duplex）システムにおける無線通信装置でのチャネル推定方法であって、
通信先無線通信装置に中継させる信号と、通信先無線通信装置が信号を中継する際のリソースとを示す情報を通知するステップと、
通信先無線通信装置に中継させる信号を送信するステップと、
通信先無線通信装置が中継した信号を受信するステップと、
通信先無線通信装置が中継した信号に基づいてチャネル推定を行うステップと、
を有するチャネル推定方法。
【請求項９】
ＴＤＤ（Time Division Duplex）システムにおける無線通信装置での信号中継方法であって、
無線通信装置が中継すべき信号と、無線通信装置が信号を中継する際のリソースとを示す情報を通信先無線通信装置から受信し、また、無線通信装置が中継すべき信号を受信するステップと、
無線通信装置が中継すべき信号を送信回路に中継するステップと、
無線通信装置が信号を中継する際のリソースを示す情報に基づいて、中継された信号を送信回路から送信するステップと、
を有する信号中継方法。
【発明の詳細な説明】
【技術分野】
【０００１】
本発明は、無線通信装置、チャネル推定方法及び信号中継方法に関する。
【背景技術】
【０００２】
３ＧＰＰ（Third Generation Partnership Project）標準のリリース８〜１１では、基地局のアンテナポート（ＡＰ：Antenna Port）を横方向に複数配置する事を想定し、水平方向のビームフォーミングを行う技術が採用されている。
【０００３】
３ＧＰＰ標準のリリース１２においては、縦方向と横方向等に２次元配置した複数のアンテナ素子を基地局に搭載し、水平方向に加えて垂直方向にビームを形成する３次元ＭＩＭＯ（３Ｄ−ＭＩＭＯ：Three Dimensional Multiple Input Multiple Output）が検討されつつある。垂直方向と水平方向にビームを形成することによって、システム特性の改善が期待される。
【０００４】
３ＧＰＰ標準化上は、アンテナポート数が８以下の場合の３Ｄ−ＭＩＭＯを垂直ビームフォーミングと称し、アンテナポート数が８より大きい場合（１６，３２，６４…など）を、ＦＤ−ＭＩＭＯ（Full Dimension-MIMO）と称している。ＦＤ−ＭＩＭＯはＭａｓｓｉｖｅ  ＭＩＭＯと呼ばれることが多い。
【０００５】
Ｍａｓｓｉｖｅ  ＭＩＭＯは、非常に多くの基地局アンテナ素子を用いて鋭いビームを形成することによって周波数利用効率を改善することができる。
【先行技術文献】
【非特許文献】
【０００６】
【非特許文献１】L. Withers,"Echo-MIMO: A two-say channel training method for matched cooperative beamforming", IEEE Trans. Sig, Spt. 2008.
【発明の概要】
【発明が解決しようとする課題】
【０００７】
Ｍａｓｓｉｖｅ  ＭＩＭＯのようなＭＩＭＯシステムでは、例えば、下りリンクにおいて適切な送信ビームを形成するために、下りリンクチャネル行列を高精度に把握することが必要である。
【０００８】
一般的にＴＤＤ（Time Division Duplex）システムでは、上下リンクのチャネルに双対性があることが知られている。チャネルの双対性とは、上りリンクチャネル行列と下りリンクチャネル行列とが転置の関係にあることを言う。図１に、一般的なＴＤＤシステムの構成を示す。上りリンクチャネル行列をＨＤＬとし、下りリンクチャネル行列をＨＵＬとした場合、理想的にはＨＤＬ＝ＨＵＬＴという関係が成立する。
【０００９】
このように、Ｍａｓｓｉｖｅ  ＭＩＭＯ局においてサウンディング参照信号（ＳＲＳ：Sounding Reference Signal）のような上りリンクの参照信号を用いることで、下りリンクの伝搬路を推定することが理想的には可能である。しかし、一般的に装置内のＲＦ（Radio Frequency）回路の差等（ここではＲＦ不完全性と呼ぶ）の観点で、双対性は下りリンクプリコーダを決めるほど高精度にはならない。例えば、図１に示すように、スイッチ（Switch）から受信ベースバンド回路（Rx BB）までの回路とスイッチから送信ベースバンド回路（Tx BB）までの回路に差があるため、高精度な下りリンクチャネル行列の推定は実現できない。
【００１０】
一方、移動局が上りリンク参照信号を送信すると共に、下りリンク参照信号を非再生中継（amplify and forward）することにより、基地局において下りリンクチャネル推定を行う技術が知られている（非特許文献１参照）。この技術によれば、基地局及び移動局におけるＲＦ不完全性を取り除くことができると同時に、移動局においてチャネル状態情報（ＣＳＩ：Channel State Information）の推定が不要となるため、移動局の負荷を軽減することが可能になる。
【００１１】
具体的には、移動局では、上りリンクチャネル推定用の参照信号の送信に加えて、下りリンクチャネル推定用の受信信号を非再生中継する。基地局では、上りリンクチャネル行列の推定値ＨＵＬ及び往復チャネル行列の推定値Ｈｒｏｕｎｄを求め、以下の式に従って下りリンクチャネル推定を行う。
【００１２】
【数１】
2015070336.tif 000003
３ＧＰＰにおいて検討されているＬＴＥ−Ａｄｖａｎｃｅｄ標準では、基地局において往復チャネル行列を推定し、下りリンクチャネル推定を行うためのシグナリングが規定されていない。更に、ＬＴＥ−Ａｄｖａｎｃｅｄ標準では、１００ＭＨｚまでの広帯域での通信が可能であるが、移動局が全システム帯域の信号を非再生中継することはシステム上のリソース消費や移動局の消費電力の観点から望ましくない。
【００１３】
本発明は、基地局等の無線通信装置において往復チャネル行列を推定するための効率的なシグナリングを実現することを目的とする。
【課題を解決するための手段】
【００１４】
本発明の一形態に係る無線通信装置は、
ＴＤＤ（Time Division Duplex）システムにおける無線通信装置であって、
通信先無線通信装置に中継させる信号と、通信先無線通信装置が信号を中継する際のリソースとを示す情報を通知する通知部と、
通信先無線通信装置に中継させる信号を送信する送信部と、
通信先無線通信装置が中継した信号を受信する受信部と、
通信先無線通信装置が中継した信号に基づいてチャネル推定を行うチャネル推定部と、
を有することを特徴とする。
【００１５】
また、本発明の一形態に係る無線通信装置は、
ＴＤＤ（Time Division Duplex）システムにおける無線通信装置であって、
無線通信装置が中継すべき信号と、無線通信装置が信号を中継する際のリソースとを示す情報を通信先無線通信装置から受信し、また、無線通信装置が中継すべき信号を受信する受信部と、
無線通信装置が中継すべき信号を送信部に中継する中継部と、
無線通信装置が信号を中継する際のリソースを示す情報に基づいて、中継された信号を送信する送信部と、
を有することを特徴とする。
【００１６】
本発明の一形態に係るチャネル推定方法は、
ＴＤＤ（Time Division Duplex）システムにおける無線通信装置でのチャネル推定方法であって、
通信先無線通信装置に中継させる信号と、通信先無線通信装置が信号を中継する際のリソースとを示す情報を通知するステップと、
通信先無線通信装置に中継させる信号を送信するステップと、
通信先無線通信装置が中継した信号を受信するステップと、
通信先無線通信装置が中継した信号に基づいてチャネル推定を行うステップと、
を有することを特徴とする。
【００１７】
本発明の一形態に係る信号中継方法は、
ＴＤＤ（Time Division Duplex）システムにおける無線通信装置での信号中継方法であって、
無線通信装置が中継すべき信号と、無線通信装置が信号を中継する際のリソースとを示す情報を通信先無線通信装置から受信し、また、無線通信装置が中継すべき信号を受信するステップと、
無線通信装置が中継すべき信号を送信回路に中継するステップと、
無線通信装置が信号を中継する際のリソースを示す情報に基づいて、中継された信号を送信回路から送信するステップと、
を有することを特徴とする。
【発明の効果】
【００１８】
本発明によれば、基地局等の無線通信装置において往復チャネル行列を推定するための効率的なシグナリングを実現することが可能になる。
【図面の簡単な説明】
【００１９】
【図１】一般的なＴＤＤシステムの構成を示す図
【図２】本発明の実施例に係る無線通信システムの概略図
【図３】本発明の実施例に係る基地局のブロック図
【図４】本発明の実施例に係る移動局のブロック図
【図５】周期的ＳＲＳ及び非周期的ＳＲＳを示す図
【発明を実施するための形態】
【００２０】
本発明の実施例について、図面を参照して詳細に説明する。
【００２１】
本発明の実施例では、ＴＤＤを用いたＭＩＭＯシステムにおける基地局及び移動局について説明する。
【００２２】
＜通信システムの構成＞
図２に、本発明の実施例に係る無線通信システムの概略図を示す。無線通信システムは、基地局１０と、移動局２０とを有する。
【００２３】
基地局１０は、移動局２０に中継させる信号と、移動局２０が信号を中継する際のリソースとを示す情報を通知する（Ｓ１）。移動局２０は単に信号を中継するに過ぎないため、移動局２０が中継する信号に対する信号系列を割り当てる必要はないが、基地局１０は、どの信号を中継すべきかを通知する必要がある。ここでは、下りリンク参照信号（ＲＳ：Reference Signal）を例に挙げて説明するが、移動局２０に中継させる信号は、下りリンク参照信号に限定されることなく、如何なる信号でもよい。また、基地局１０は、移動局２０がどの送信タイミング又は周波数を使用して信号を中継すべきかを通知する必要がある。なお、移動局２０が信号を中継する際の周波数は、下りリンク参照信号の周波数と同一でもよく、下りリンク参照信号の周波数の一部でもよい。
【００２４】
そして、基地局１０は、下りリンク参照信号を送信する（Ｓ２）。移動局２０は、下りリンク参照信号を送信回路に中継し、基地局１０から通知されたリソースを用いて、下りリンク参照信号を送信回路から送信（非再生中継）する（Ｓ３）。また、移動局２０は、上りリンクチャネル推定を行うための上りリンク参照信号も送信する。基地局１０は、移動局２０が中継した下りリンク参照信号を受信し、往復チャネル行列を推定する。更に、基地局１０は、移動局２０から送信された上りリンク参照信号を受信し、上りリンクチャネル行列を推定し、往復チャネル行列及び上りリンクチャネル行列から下りリンクチャネル推定を行う。
【００２５】
なお、移動局２０は、基地局１０から通知された情報に基づいて受信信号の中から下りリンク参照信号を抽出して中継してもよく、基地局１０から通知されたリソースを用いて、下りリンク参照信号を抽出せずにそのまま受信信号を中継してもよい。例えば、移動局２０は、基地局１０から通知された周波数の受信信号（下りリンク参照信号を含む）を単に中継し、基地局１０が中継された信号の中から下りリンク参照信号を抽出してもよい。
【００２６】
図３に、本発明の実施例に係る基地局１０のブロック図を示す。基地局１０は、ＲＳ生成部１０１と、中継用ＲＳ・リソース通知部１０３と、送信部１０５と、スイッチ１０７と、受信部１０９と、チャネル推定部１１１とを有する。
【００２７】
ＲＳ生成部１０１は、移動局に送信される下りリンク参照信号を生成する。例えば、ＲＳ生成部１０１は、チャネル状態情報測定用の参照信号（ＣＳＩ−ＲＳ：Reference Signal for CSI measurement）を生成する。
【００２８】
中継用ＲＳ・リソース通知部１０３は、移動局に中継させる下りリンク参照信号と、移動局が下りリンク参照信号を中継する際のリソースとを示す情報を通知する。移動局が下りリンク参照信号を中継する際のリソースには、送信タイミング（サブフレーム）、周波数位置、サブフレーム内の多重位置、送信電力等が含まれる。この情報を移動局に通知するため、システムにおいて制御シグナリング（ここでは中継用シグナリングと呼ぶ）が規定されてもよい。中継用シグナリングは、ＲＲＣ（Radio Resource Control）レイヤのような上位レイヤで行われてもよく、ＭＡＣ（Medium Access Control）レイヤのような下位レイヤで行われてもよい。特に上位レイヤ（又は上位レイヤと下位レイヤとの組み合わせ）を用いることにより、必要な場合にのみ中継用シグナリングを通知することが可能となり、シグナリングオーバーヘッドを低減することが可能になる。なお、下りリンク参照信号を中継させるための情報は、中継用シグナリングに含めるだけでなく、他のシグナリングに含めてもよい。
【００２９】
例えば、中継用ＲＳ・リソース通知部１０３は、中継用シグナリングで以下の情報のうち少なくとも１つを通知する。これらの内容については、以下に詳細に説明する。
【００３０】
（１）中継させる下りリンク参照信号の情報
（２）下りリンク参照信号を中継する際の送信タイミング（サブフレーム）
（３）下りリンク参照信号を中継する際の周波数位置
（４）サブフレーム内における下りリンク参照信号の多重位置
（５）下りリンク参照信号を中継する際の送信電力
（６）移動局が受信した下りリンク参照信号の中で、何ＴＴＩ（Transmission Time Interval）前の下りリンク参照信号を中継させるか
送信部１０５は、スイッチ１０７を介して、中継用シグナリングを移動局に送信し、また、下りリンク参照信号を移動局に送信する。なお、スイッチ１０７とは、ＴＤＤシステムにおいて信号の送受信を切り替えるための部品である。
【００３１】
受信部１０９は、スイッチ１０７を介して、移動局が中継した下りリンク参照信号を受信する。また、受信部１０９は、スイッチ１０７を介して、移動局が送信した上りリンク参照信号を受信する。
【００３２】
チャネル推定部１１１は、受信した下りリンク参照信号に基づいて往復チャネル行列Ｈｒｏｕｎｄを推定する。移動局が下りリンク参照信号を抽出せずに受信信号をそのまま中継する場合、チャネル推定部１１１は、中継用ＲＳ・リソース通知部１０３を参照して、移動局が中継した信号の中から下りリンク参照信号を抽出し、往復チャネル行列Ｈｒｏｕｎｄを推定する。また、チャネル推定部１１１は、受信した上りリンク参照信号に基づいて上りリンクチャネル行列ＨＵＬを推定する。そして、以下の式に従って、下りリンクチャネル推定を行う。
【００３３】
【数２】
2015070336.tif 000004
図４に、本発明の実施例に係る移動局２０のブロック図を示す。移動局２０は、スイッチ２０１と、受信部２０３と、ＲＳ中継部２０５と、送信部２０７とを有する。
【００３４】
受信部２０３は、スイッチ２０１を介して、中継用シグナリングを基地局から受信し、また、スイッチ２０１を介して、下りリンク参照信号を基地局から受信する。なお、スイッチ２０１とは、ＴＤＤシステムにおいて信号の送受信を切り替えるための部品である。
【００３５】
ＲＳ中継部２０５は、基地局から通知された中継用シグナリングに基づいて、中継すべき下りリンク参照信号を送信部２０７に中継する。
【００３６】
送信部２０７は、基地局から通知された中継用シグナリングに基づいて、スイッチ２０１を介して、中継された下りリンク参照信号を基地局に送信（非再生中継）する。
【００３７】
＜中継用シグナリングの内容＞
次に、基地局１０の中継用ＲＳ・リソース通知部１０３において中継用シグナリングで移動局２０に通知する情報について詳細に説明する。
【００３８】
（１）中継させる下りリンク参照信号の情報
中継させる下りリンク参照信号は、新たに規定された参照信号でもよく、既に規定されている参照信号（例えば、ＣＳＩ−ＲＳ）でもよい。なお、基地局はどの信号が中継されるかを認識できるため、下りリンク参照信号のみならず、如何なる信号が用いられてもよい。
【００３９】
例えば、アンテナ数の拡張、送信タイミング／周波数の拡張、送信系列割り当ての拡張等に対応するために、新たに参照信号が規定されてもよい。この参照信号は、アンテナポート数、参照信号系列（例えば、参照信号に使用するＺａｄｏｆｆ−Ｃｈｕ系列の系列番号）、時間／周波数多重位置（例えば、参照信号が多重されるサブフレーム位置／参照信号の送信帯域を低減するための周波数ホッピング）、送信電力情報等に基づいて規定されてもよい。
【００４０】
また、既存の仕様への影響を考慮して、既に規定されている参照信号（例えば、ＣＳＩ−ＲＳ）が用いられてもよい。特にＣＳＩ推定用に規定されたＣＳＩ−ＲＳを用いることで、最大で８アンテナのチャネル推定を実現しつつ、３ＧＰＰ標準のリリース１０又は１１に準拠した移動局の特性劣化を軽減することが可能になる。この場合、例えば、既存の仕様で規定されているＣＳＩ計算に用いるＣＳＩ−ＲＳリソース番号（CSI-RS resource）を中継用シグナリングに含めてもよい。また、例えば、ＣＳＩ−ＲＳのアンテナポート数、時間／周波数多重位置を通知するためのＲＲＣシグナリング（CSI-RS-ConfigやCSI-RS-Config(NZP)）に、中継すべき下りリンク参照信号であるか否かのフラグを含めてもよい。
【００４１】
或いは、ＣＲＳ（Cell-Specific Reference Signal）又はＤＭ−ＲＳ（Demodulation Reference Signal）のような参照信号が用いられてもよい。どの参照信号を用いるかは、中継用シグナリングで通知されてもよく、予めシステム内で決められてもよい。
【００４２】
なお、中継させる下りリンク参照信号は、１つでもよく、複数でもよい。例えば、新たに規定された参照信号と、ＣＳＩ−ＲＳとの双方を移動局に中継させてもよい。
【００４３】
（２）下りリンク参照信号を中継する際の送信タイミング（サブフレーム）
移動局が下りリンク参照信号を中継する際の送信タイミングは、周期的な送信タイミングでもよく、非周期的な送信タイミングでもよい。例えば、図５に示すように、周期的に送信されるＳＲＳ（Periodic SRS）と非周期的に送信されるＳＲＳ（Aperiodic SRS）とが存在する。Periodic SRSは、予め決められた送信周期で送信するＳＲＳであり、Aperiodic SRSは、基地局からのトリガによって送信するＳＲＳである。これらのＳＲＳの送信タイミングに基づいて、移動局が下りリンク参照信号を中継する際の送信タイミングが決められてもよい。
【００４４】
例えば、シグナリングオーバーヘッドを低減するために、周期的な送信タイミングが用いられてもよい。周期的な送信タイミングを指定するために、例えば、送信周期と送信開始位置（オフセット）とを中継用シグナリングに含めてもよい。また、例えば、送信タイミングは、Periodic SRSの送信タイミングと同一としてもよい（又はオフセットを与えてもよい）。これにより、シグナリングオーバーヘッドを更に低減することが可能になる。なお、送信周期は、Periodic SRSの送信周期と同一でもよく、Periodic SRSの送信周期を間引いたものでもよい。或いは、Periodic SRSに割り当てられたＴＴＩ（Transmission Time Interval）の一部を下りリンク参照信号の送信に置き換えてもよい。
【００４５】
或いは、必要な場合にのみ下りリンク参照信号を中継させることでリソース割り当てを効率化するために、非周期的な送信タイミングが用いられてもよい。非周期的な送信タイミングは、基地局からの制御チャネル（PDCCH／ePDCCH）によりトリガされてもよい。また、Aperiodic SRSの制御情報（DCI：Downlink Control Information）と共に送信タイミングが通知されてもよい。例えば、２ビットを用いて、Aperiodic SRSの送信と下りリンク参照信号の中継とを共に行わない場合（00）、Aperiodic SRSの送信を行う場合（10又は01）、下りリンク参照信号の中継を行う場合（11）を区別してもよい。また、シグナリングビットを更に低減するため、Aperiodic SRSと下りリンク参照信号の送信タイミングを一緒に通知してもよい。例えば、１ビットを用いて、Aperiodic SRSの送信と下りリンク参照信号の中継とを共に行わない場合（0）、Aperiodic SRSの送信と下りリンク参照信号の中継とを共に行う場合（1）を区別してもよい。この場合、例えば、基地局からの通知後の４ＴＴＩ後にAperiodic SRSを送信し、５ＴＴＩ後に下りリンク参照信号の送信を行ってもよい。
【００４６】
また、シグナリングオーバーヘッドを低減するため、送信タイミングを下りリンク参照信号の受信タイミングと関連付けてもよい。例えば、下りリンク参照信号の受信タイミングから一定のサブフレーム間隔を空けた後に下りリンク参照信号を中継してもよい。このサブフレーム間隔は、システムで予め一意に決められてもよく、中継用シグナリングに含めて移動局に通知してもよい。
【００４７】
（３）下りリンク参照信号を中継する際の周波数位置
移動局が全システム帯域の下りリンク参照信号を非再生中継することはシステムでのリソース消費や移動局の消費電力の観点から望ましくないため、移動局が下りリンク参照信号を中継する際の周波数位置が中継用シグナリングで通知されてもよい。
【００４８】
例えば、下りリンク参照信号が４０リソースブロックのシステム帯域を用いて送信される場合、４０リソースブロックを２つの２０リソースブロックに分割し、更に、２０リソースブロックを５つの４リソースブロックに分割し、リソース消費を考慮して下りリンク参照信号を中継させるリソースブロック数を指定してもよい。例えば、４リソースブロックの下りリンク参照信号を中継させる場合、送信タイミング毎にシステム帯域の中で周波数位置を変更する周波数ホッピングが適用されてもよい。
【００４９】
また、Aperiodic SRSの周波数位置との関係が通知されてもよい。例えば、Aperiodic SRSの次のＴＴＩで下りリンク参照信号を中継させる場合、下りリンク参照信号の周波数位置はAperiodic SRSと同じ周波数位置でもよい。
【００５０】
（４）サブフレーム内における下りリンク参照信号の多重位置
既存の移動局への影響を考慮して、下りリンク参照信号は、図５に示すＳＲＳ（Sounding Reference Signal）の領域（リソースブロックの時間方向に最後のシンボル）に上書きされてもよい。例えば、ＳＲＳの送信と下りリンク参照信号の中継とが重なった場合の優先度は、予め規定されてもよく、中継用シグナリングで通知されてもよい。
【００５１】
また、下りリンク参照信号は、ＰＵＳＣＨ（Physical Uplink Shared Channel）（又はＤＭ−ＲＳ）の一部又は全ての領域に上書きされてもよい。特に、下りリンク参照信号の送信に大きいリソースが必要となる場合、特定のＴＴＩの全てのＰＵＳＣＨの領域、全てのＤＭ−ＲＳの領域、又はＰＵＳＣＨとＤＭ−ＲＳを合わせた全ての領域を下りリンク参照信号の送信に割り当ててもよい。このときの下りリンク参照信号の多重位置（１４シンボルのうちどのシンボルが使われるか）を移動局に通知するため、中継用シグナリングに多重位置を示すビットを含めてもよい。或いは、ＵＥ−ＩＤ等の移動局の識別子と多重位置とを紐付ける（例えば、モジュロ演算する）ことにより、シグナリングビットを低減してもよい。
【００５２】
（５）下りリンク参照信号を中継する際の送信電力
下りリンク参照信号を中継する際の送信電力は、既存の信号の送信電力に基づいて制御されてもよい。例えば、下りリンク参照信号はサウンディング用途であるため、ＳＲＳの送信電力制御との共通性が高いと考えられる。このため、ＳＲＳと同一の送信電力が適用されてもよい。また、ＳＲＳからのオフセットが静的又は動的に通知されてもよい。
【００５３】
送信電力制御の基準は、ＳＲＳに限定されることなく、ＰＵＳＣＨ又はＰＵＣＣＨ（Physical Uplink Control Channel）に基づいて制御されてもよい。例えば、ＰＵＳＣＨ又はＰＵＣＣＨと同一の送信電力又はオフセット等を持たせた送信電力が適用されてもよい。
【００５４】
或いは、下りリンク参照信号を中継する際の送信電力は、下りリンク参照信号の受信電力に基づいて制御されてもよい。例えば、下り受信電力に対して一定の増幅を行ってもよい。このようにして、リンクパスロス変動を把握することが可能になる。なお、このときの増幅量は、静的に制御されてもよく、動的に制御されてもよい。
【００５５】
（６）移動局が受信した下りリンク参照信号の中で、何ＴＴＩ前の下りリンク参照信号を中継させるか
移動局は、下りリンク参照信号をバッファに格納し、指定された送信タイミングで送信する。このとき、移動局における制御遅延を考慮して、一定の間隔よりも前に受信した下りリンク参照信号を送信してもよい。例えば、移動局は、下りリンク参照信号を受信したサブフレームのうち、指定された送信タイミングより４ＴＴＩ以上前で且つ直前に受信した下りリンク参照信号を中継してもよい。
【００５６】
或いは、移動局では単に信号を非再生中継するに過ぎないため、ＣＳＩフィードバックよりも短い制御遅延を指定してもよい。例えば、移動局は、下りリンク参照信号を受信したサブフレームのうち、指定された送信タイミングより１ＴＴＩ以上前で且つ直前に受信した下りリンク参照信号を中継してもよい。
【００５７】
また、ＴＤＤにおいて下りリンク信号と上りリンク信号とを同時に送信可能なサブフレーム（special subframe）が規定されている。このサブフレームを用いて、同一のサブフレームにおいて下りリンク参照信号の送信及び中継が行われてもよい。
【００５８】
＜本発明の実施例の効果＞
本発明の実施例によれば、基地局における下りリンクチャネル推定のための効率的なシグナリングを行うことが可能になる。
【００５９】
例えば、既存の参照信号としてＣＳＩ−ＲＳを用いることにより、既存の仕様への影響を低減しつつ、シグナリングオーバーヘッドを低減することが可能になる。また、移動局が下りリンク参照信号を中継する際のリソースについても、ＣＳＩ−ＲＳ等について規定されたシグナリングを用いることにより、シグナリングオーバーヘッドを低減することが可能になる。
【００６０】
本発明は、Ｍａｓｓｉｖｅ  ＭＩＭＯに限らず、ＴＤＤを用いたＭＩＭＯシステムに適用可能である。また、上記の実施例では、下りリンク参照信号を移動局が中継する場合について説明したが、本発明は、上りリンク参照信号を基地局が中継する場合にも適用可能である。従って、一般的にＴＤＤシステムにおける無線通信装置に適用可能である。
【００６１】
説明の便宜上、本発明の実施例に係る基地局及び移動局は機能的なブロック図を用いて説明しているが、本発明の実施例に係る基地局及び移動局は、ハードウェア、ソフトウェア又はそれらの組み合わせで実現されてもよい。また、各機能部が必要に応じて組み合わせて使用されてもよい。また、本発明の実施例に係る方法は処理の流れを示すフローチャートを用いて説明しているが、本発明の実施例に係る方法は、実施例に示す順序と異なる順序で実施されてもよい。
【００６２】
以上、基地局において往復チャネル行列を推定するための効率的なシグナリングを実現するための手法について説明したが、本発明は、上記の実施例に限定されることなく、特許請求の範囲内において、種々の変更・応用が可能である。
【符号の説明】
【００６３】
１０    基地局
１０１  ＲＳ生成部
１０３  中継用ＲＳ・リソース通知部
１０５  送信部
１０７  スイッチ
１０９  受信部
１１１  チャネル推定部
２０    移動局
２０１  スイッチ
２０３  受信部
２０５  ＲＳ中継部
２０７  送信部
【図１】
2015070336.tif 000005
【図２】
2015070336.tif 000006
【図３】
2015070336.tif 000007
【図４】
2015070336.tif 000008
【図５】
2015070336.tif 000009